(57)【要約】【課題】特有の視覚的効果を有する装飾シートを提供する。【解決手段】干渉模様発生パターン層１２を有する第一のシート１０、及び、干渉模様発生パターン層２２を有する第二のシート２０、を備え、第一のシートの干渉模様発生パターン層と第二のシートの干渉模様発生パターン層とが空気層を介して配置され、第一シートの干渉模様発生パターン層、又は、第二シートの干渉模様発生パターン層の少なくとも一方は再帰反射形状を具備している。【選択図】図１
2017213715.tif 000002
【特許請求の範囲】
【請求項１】
干渉模様発生パターン層を有する第一のシート、及び、干渉模様発生パターン層を有する第二のシート、を備え、
前記第一のシートの干渉模様発生パターン層と前記第二のシートの干渉模様発生パターン層とが空気層を介して配置され、
前記第一シートの前記干渉模様発生パターン層、又は、前記第二シートの前記干渉模様発生パターン層の少なくとも一方は再帰反射形状を具備している、装飾用シート。
【請求項２】
前記第一のシートの干渉模様発生パターン層及び前記第二のシートの干渉模様発生パターン層の少なくとも一方は、凸部と凹部とが交互に配列された形態である、請求項１に記載の装飾用シート。
【請求項３】
前記再帰反射形状は、前記凸部の断面において突出した頂部の頂角が９０°である請求項２に記載の装飾用シート。
【発明の詳細な説明】
【技術分野】
【０００１】
本発明は、装飾に用いられるシートに関し、詳しくは干渉を利用した装飾シートに関する。
【背景技術】
【０００２】
例えば特許文献１には、見る方向によって模様が変化する装飾シートが開示されている。これはシートの表裏のそれぞれにパターンを形成することにより、模様の見え方が変化するとされている。
【先行技術文献】
【特許文献】
【０００３】
【特許文献１】特開平９−２０７２５４号公報
【発明の概要】
【発明が解決しようとする課題】
【０００４】
装飾用シートの分野では、従来技術にこだわらず、新しい視覚的効果を有する装飾シートの提供が望まれている。
【０００５】
そこで本発明は上記問題を鑑み、特有の視覚的効果を有する装飾シートを提供することを課題とする。
【課題を解決するための手段】
【０００６】
以下、本発明について説明する。わかりやすさのため、ここでは括弧書きで図面の参照符号を付記するが、本発明はこれに限定されるものではない。
【０００７】
本発明の１つの形態は、干渉模様発生パターン層（１２）を有する第一のシート（１０）、及び、干渉模様発生パターン層（２２）を有する第二のシート（２０）、を備え、第一のシートの干渉模様発生パターン層と第二のシートの干渉模様発生パターン層とが空気層を介して配置され、第一シートの干渉模様発生パターン層、又は、第二シートの干渉模様発生パターン層の少なくとも一方は再帰反射形状を具備している、装飾用シート（１、１０１、２０１）である。
【０００８】
上記装飾用シートにおいて、第一のシート（１０）の干渉模様発生パターン層（１２）及び第二のシート（２０）の干渉模様発生パターン層（２２）の少なくとも一方は、凸部（１３、２３）と凹部（１４、２４）とが交互に配列された形態としてもよい。
【０００９】
また、上記再帰反射形状は、凸部の断面において突出した頂部の頂角が９０°とすることができる。
【発明の効果】
【００１０】
本発明によれば、干渉縞の発生及び干渉縞の変化を得ることができ、特有の視覚的効果を有する装飾シートとなる。また、再帰反射によりシートの光輝性を高めることが可能となる。
【図面の簡単な説明】
【００１１】
【図１】装飾用シート１の斜視図である。
【図２】装飾用シート１の他の視点からの斜視図である。
【図３】装飾用シート１の断面図である。
【図４】図３の一部を拡大した図である。
【図５】図５（ａ）は装飾用シート１の歪みの一態様を表した図、図５（ｂ）は装飾用シート１の歪みの他の態様を表した図である。
【図６】装飾用シート１０１の断面の一部を表した図である。
【図７】装飾用シート２０１の断面の一部を表した図である。
【発明を実施するための形態】
【００１２】
以下、本発明を図面に示す形態に基づき説明する。ただし、本発明はこれら形態に限定されるものではない。なお、以下に示す図面では分かりやすさのため部材の大きさや比率を変更または誇張して記載することがある。また、見やすさのため説明上不要な部分の図示や繰り返しとなる符号は省略することがある。
【００１３】
図１は、第一の形態の装飾用シート１を説明する図で、装飾用シート１の一部を示す外観斜視図である。図２は、図１に示した装飾用シート１の視点を変えて下方から見た斜視図である。また、図３は、図１にＩＩＩ−ＩＩＩで示した線に沿った断面図である。さらに図４には図３の一部を拡大した図を表した。
これら図からわかるように、装飾用シート１は、第一シート１０、及び第二シート２０を有して構成されている。
【００１４】
第一シート１０は、基部１１及び干渉模様発生パターン層１２を有して構成されている。
【００１５】
基部１１は、干渉模様発生パターン層１２を支持する板状の部位である。基部１１の厚さは特に限定されることはないが、２５μｍ以上２００μｍ以下とすることができる。厚さが２５μｍより薄いと第一シート１０が破れやすくなり、２００μｍより厚いと柔軟性に欠け、後述するような干渉模様の変化を生じさせ難くなる。
尚、本発明に於いて、「干渉」とは光波（電磁波）の波動としての干渉の他に周期的パターン同志のモアレも包含する概念として用いる。又、「干渉模様」は光波の干渉による干渉縞の他に空間的周期パターン同志のモアレ模様（モアレ干渉縞、乃至はモアレ縞とも呼稱する。）も包含する。尚、以下の形態では、主にモアレによる干渉パターンを発現する干渉模様を採用する。但し、本発明は斯かる形態にのみ限定されるわけでは無く、主に光波の干渉縞を発現する干渉模様を採用する形態も包含される。
【００１６】
干渉模様発生パターン層１２は、基部１１の一方の面上に形成された部位で、本形態では凹凸を有する層とされている。本形態では、干渉模様発生パターン層１２は、図１〜図４よりわかるように、一方向（図１、図２に於いてはｙ軸方向）に延びる線状凸部１３を有している。そして、複数の線状凸部１３が、上記延びる方向（以下、「延在方向」或いは「長手方向」とも呼稱する。）とは異なる方向（図１に於いては延在方向と直交するｘ軸方向）に配列されている。従って、隣り合う線状凸部１３の間には間隙が形成され、これが線状凹部１４となる。これにより凹凸が繰り返されるパターンとされている。
【００１７】
本形態の線状凸部１３及び線状凹部１４は、その延在方向（長手方向）と直交する面で切断した断面（以下、主切断面とも言う。）の形状が二等辺三角形を有しており、その頂部が円弧状とされている。図３、図４からわかるように、本形態では二等辺三角形断面を有する山状の線状凸部１３の間に谷溝状の線状凹部１４が形成される。
【００１８】
以上のような干渉模様発生パターン層１２は、後述する第二シート２０の干渉模様発生パターン層２２との組み合わせで、干渉縞を発生するパターンを有している。
【００１９】
また、干渉模様発生パターン層１２の線状凸部１３は、ここに入射した光の少なくとも一部を全反射して入射した方向に出射する再帰反射可能な形態を具備している、従って、線状凸部１３の突出した頂角が９０°である直角二等辺三角形であることが好ましい。
従って、本形態では、干渉模様発生パターン層１２は、直角二等辺三角形断面を有する線状凸部と具備して形成されていたが、これに限らずに、頂部が９０°であるいわゆるコーナーキューブである錐が基部に１１に複数配列される形態であってもよい。
【００２０】
ここで第一シート１０の基部１１と干渉模様発生パターン層１２とは同じ材料で一体とする形態でもよいし、同じ材料又は異なる材料で別体として貼り合された形態でもよい。
第一シート１０を構成する材料は、装飾用シート１の少なくとも一方側から、干渉縞を視認することができ、再帰反射できるように構成されていればよい。具体的には、例えばウレタン樹脂、ポリ塩化ビニル樹脂、ポリアミド樹脂（ナイロン）、ポリエステル樹脂、アクリル樹脂、ポリオレフィン樹脂、ポリ塩化ビニル樹脂等の各種樹脂等を挙げることができる。
【００２１】
第二シート２０は、第一シート１０と同様の構成を有している。従って、第二シート２０は、基部２１及び干渉模様発生パターン層２２を具備している。
【００２２】
基部２１は、上記した基部１１と同様、干渉模様発生パターン層２２を支持する板状の部位である。従って基部２１は基部１１と同じように考えることができる。ただし、第二シート２０は、さらに基部２１の端部に接合部２１ａが具備されている。
接合部２１ａは図１〜図３よりわかるように、基部２１の端部のうち干渉模様発生パターン層２２が設けられた側から突出した部位であり、第一シート１０の基部１１に接合される。
また、基部２１の面のうち、干渉模様発生パターン層２２が配置されない側の面は、微小な凹凸によるマット面としてもよい。これにより、平滑面とは異なる質感や手触りを得ることができる。
【００２３】
干渉模様発生パターン層２２は、干渉模様発生パターン層１２と同様に線状凸部２３と線状凹部２４とが繰り返される構成とされている。ただし、線状凸部２３は再帰反射形状である必要はない。従ってモアレ縞が発生しやすい形態を適宜適用することができる。本実施形態に於いては、日光等の光の入射側に近い干渉模様発生パターン層２２の線状凸部２３の主切断面形状は、帰反射性の低い形状である所の、突出した頂角が１２０°の直角二等辺三角形とした。
尚、干渉模様の発生の程度を多少抑制した方が干渉模様の意匠性が優れる場合は、光の入射側に近い干渉模様発生パターン層２２の線状凸部２３の主切断面形状も、帰反射性の高い形状である所の、突出した頂角が９０°の直角二等辺三角形とすることもできる。
【００２４】
そのため、図４からよくわかるように、第一シート１０に具備された干渉模様発生パターン層１２の線状凸部１３のピッチｐ’と、第二シート２０に具備された干渉模様発生パターン層２２の線状凸部２３のピッチｐとは異なることが好ましい。これにより、モアレ干渉縞を確実に生じさせることができる。
具体的なピッチｐ、ピッチｐ’の大きさは特に限定されることはないが、下記式（１）で示すモアレ間隔（モアレ縞の隣り合う暗部の中間点距離）ｄが０．２ｍｍ以上となるように構成することが好ましく、より好ましくはｄが０．５ｍｍ以上、さらに好ましくはｄが１．０ｍｍ以上である。ｄが０．２ｍｍより小さいとモアレパターンの視認が困難となる傾向にある。一方、ｄは５０ｍｍ以下であることが好ましい。ｄが５０ｍｍより大きいと干渉縞に基づく本願発明特有の意匠性の発現が不十分となる虞がある。
モアレ間隔dは下記式によって決定される。
ｄ＝（０．５・ｐ）／（１−ｐ’／ｐ)      （１）
ここで、ｐはパターンの間隔が広い側のピッチ（ｍｍ）、ｐ’はパターンの間隔が狭い側のピッチ（ｍｍ）をそれぞれ表している。
【００２５】
このような、第一シート１０と第二シート２０とは次のように組み合わされて装飾用シート１とされている。すなわち、図１〜図４よりわかるように、第一シート１０の基部１１のうち干渉模様発生パターン層１２が配置された側とは反対側に第二シート２０を配置する。その際には第一シート１０の基部１１に第二シート２０の干渉模様発生パターン層２２が対向するようにする。そして、第一シート１０の基部１１に第二シート２０の接合部２１ａを接合する。接合部２１ａが基部１１に接合することによって、図１の如く、干渉模様発生パターン層２２と基部１１との間に空気との界面が確保される。
本形態では、干渉模様発生パターン層１２、干渉模様発生パターン層２２とは、接合されていない。
【００２６】
このとき、干渉模様発生パターン層１２、干渉模様発生パターン層２２は、空気との界面を有していることが好ましい。これにより干渉模様発生パターン層１２、干渉模様発生パターン層２２と空気との屈折率差を大きく取ることができ、干渉縞をより明確に発生させることが可能となる。
【００２７】
以上のような装飾用シート１は、様々な製品の表面に配置され、干渉模様を視認できる装飾用の部材として用いられる。製品としては例えば靴、鞄、ソファー、椅子、乗物の座席等の表面材、箱、包装容器、壁紙や床材等の建築物内裝材、冷蔵庫やテレヴィジョン受像器等の家電製品の表面装飾材等を挙げることができる。
【００２８】
装飾用シート１は、次のように作用する。すなわち、干渉模様発生パターン層１２及び干渉模様発生パターン層２２によりいわゆるモアレ干渉縞を発生させる。これにより干渉縞特有の美感を生じさせる。
【００２９】
さらに、本形態では装飾用シート１が外力により歪むように構成されており、干渉模様発生パターン層１２と干渉模様発生パターン層２２とが接合されていないため、図４に矢印ＩＶａ、矢印ＩＶｂに示したように、それぞれがその厚さ方向に動くことができる。これにより装飾用シート１は図５に例示したように歪むことが可能である。図５（ａ）は第一シート１０と第二シート２０とが同じように歪んだ例、図５（ｂ）は第一シート１０と第二シート２０が異なるように歪んだ例である。
これにより、歪む前の装飾用シート１に対して、歪むことにより干渉模様発生パターン層１２と干渉模様発生パターン層２２との相対的な位置が変化するため、歪む前と異なった干渉縞が発生する。従って干渉縞の変化による美感も享受できる。
【００３０】
これに加え、装飾用シート１では、日光等の光の入射側に近い側に存在する干渉縞橋パターン層２２が再帰反射性を具備せず、光の入射側から遠い側に存在する干渉模様発生パターン層１２の線状凸部１３において再帰反射する形態を具備している。従って図４に光路例Ｌで示したように、入射した光は高效率で（少ない反射損失で）光入射側の第二シート２０を透過して、光入射がわから遠い第一シート１０に到達する。其処で第一シート１０に於いて再帰反射性の干渉模様発生パターン層１２により到達した光を効率よく光入射側に戻すことができ、光輝性を高めることができる。
尚、図示は省くが、以上説明した装飾シート１の構成に対して、干渉縞の発生及び干渉縞の変化に基づく特有の視覚的効果を阻害し無い範囲内で、更に着色インキ層、金属層、或いはこれらの組み合わせによる絵柄模様層を形成しても良い。該絵柄模様層が不透明な場合は装飾シート１の全面を被覆すること無く部分的に形成して干渉縞に基づく視覚的効果の発現を妨げないようにする。着色インキ層による絵柄模様層の形成は公知の印刷法を用いれば良く、金屬層の形成は公知の蒸着法、スパッタ法等を用いれば良い。これら絵柄模様層は、装飾シート１の積層構成中に於ける、基部１１、干渉模様発生パターン層１２、基部２１、干渉縞発生パターン層２２の各層の光入射側表面又は光入射側と反対側面の何れか１つ以上の面上に適宜形成することができる。
【００３１】
図６は、第二の形態を説明する図であり、装飾用シート１０１の断面の一部を示した図である。図６は図４に相当する図である。図６からわかるように、装飾用シート１０１は、第一シート１０の基部１１に第二シート２０の干渉模様発生パターン層２２に具備されている線状凸部２３が、接合部１０１ａで接合されている。接合方法は特に限定されることはないが、接着剤や粘着剤を用いることが挙げられる。
【００３２】
このような装飾用シート１０１によれば、装飾用シート１と同様に、干渉模様発生パターン層１２及び干渉模様発生パターン層２２によりいわゆるモアレ干渉縞を発生させる。これにより干渉縞特有の美感を生じさせる。また、干渉模様発生パターン層２２の再帰反射も同様であり光輝性も高められる。
【００３３】
さらに、本形態では装飾用シート１が外力により歪むように構成されており、干渉模様発生パターン層１２と干渉模様発生パターン層２２とが接合されているため、図６に矢印ＶＩで示したように、干渉模様発生パターン層１２と干渉模様発生パターン層２２が一体にその厚さ方向に動くことができる。これにより、歪む前の装飾用シート１０１に対して、歪むことにより歪む前と異なった干渉縞が発生する。従って干渉縞の変化による美感も享受できる。
【００３４】
図７は、第三の形態を説明する図であり、装飾用シート２０１の断面の一部を示した図である。図７は図４に相当する図である。図７からわかるように、装飾用シート２０１は、第一シート２１０、第二シート２２０、及び外装材２３０を有して構成されている。
【００３５】
第一シート２１０は、基部２１１に干渉模様発生パターン層１２が積層されている。
第二シート２２０も、基部２２１に干渉模様発生パターン層２２が積層されており、第二シート２２０は、基部２２１が接合部を有していない点で第二シート２０と異なる。他は第二シート２０と同様である。
以上よりわかるように、第一シート３１０と第二シート３２０とは接合されていない。
【００３６】
そして装飾用シート２０１の外装材２３０は袋状であり、その内側に第一シート２１０及び第二シート２２０が内包される。これにより接合されていない両者が保持される。本形態では装飾用シート１と同様に、基部１１に干渉模様発生パターン層２２が対向するように配置されている。ただしこれに限らず、例えば上記した形態又は以下に説明する形態のように配置することもできる。
【００３７】
このような装飾シート２０１によれば、装飾シート１で説明した作用の他、図７に矢印ＶＩＩで示したように、第一シート２１０と第二シート２２０とがシート面の法線方向を中心に相対的に回転することができ、さらなる干渉縞の変化を得ることができる。
【符号の説明】
【００３８】
１、１０１、２０１  装飾用シート
１０、２１０  第一シート
１１  基部
１２  干渉模様発生パターン層
２０、２２０  第二シート
２２  干渉模様発生パターン層
【図１】
2017213715.tif 000003
【図２】
2017213715.tif 000004
【図３】
2017213715.tif 000005
【図４】
2017213715.tif 000006
【図５】
2017213715.tif 000007
【図６】
2017213715.tif 000008
【図７】
2017213715.tif 000009